(57)【要約】【課題】バッチプロセスの情報を有効に利用可能なバッチプロセス管理装置およびバッチプロセス管理方法を提供する。【解決手段】入力受付手段はバッチプロセスごとのデータにフラグ情報を対応付けるための入力操作を受け付ける。保存手段は入力受付手段を介してバッチプロセスに対応付けられたフラグ情報と、当該バッチプロセスのデータとを、互いに対応付けた形態で保存する。【選択図】図１
2011243128.tif 000002
【特許請求の範囲】
【請求項１】
バッチプロセスに関するデータを、前記バッチプロセスごとのデータとして管理するバッチプロセス管理装置において、
前記バッチプロセスごとのデータにフラグ情報を対応付けるための入力操作を受け付ける入力受付手段と、
前記入力受付手段を介してバッチプロセスに対応付けられた前記フラグ情報と、当該バッチプロセスの前記データとを、互いに対応付けた形態で保存する保存手段と、
を備えることを特徴とするバッチプロセス管理装置。
【請求項２】
前記データは前記バッチプロセスの内容に関することを特徴とする請求項１に記載のバッチプロセス管理装置。
【請求項３】
前記保存手段により保存された前記フラグ情報と、当該バッチプロセスの前記データとを、互いに対応付けた形態で表示する表示手段と、
前記表示手段により表示された前記バッチプロセスを表示画面上で選択する操作を受け付ける選択受付手段と、
前記選択受付手段を介して選択された前記バッチプロセスの前記データを用いた処理を実行する実行手段と、
を備えることを特徴とする請求項１または２に記載のバッチプロセス管理装置。
【請求項４】
前記実行手段は、前記選択受付手段を介して選択された前記バッチプロセスの前記データを用いて、当該バッチプロセスを実行することを特徴とする請求項１〜３のいずれか１項に記載のバッチプロセス管理装置。
【請求項５】
前記フラグ情報は、前記表示手段によりフラグの表示色として表示されることを特徴とする請求項１〜４のいずれか１項に記載のバッチプロセス管理装置。
【請求項６】
前記フラグ情報は、前記表示手段によりコメントとして表示されることを特徴とする請求項１〜４のいずれか１項に記載のバッチプロセス管理装置。
【請求項７】
バッチプロセスに関するデータを、前記バッチプロセスごとのデータとして管理するバッチプロセス管理方法において、
前記バッチプロセスごとのデータにフラグ情報を対応付けるための入力操作を受け付ける入力受付ステップと、
前記入力受付ステップを介してバッチプロセスに対応付けられた前記フラグ情報と、当該バッチプロセスの前記データとを、互いに対応付けた形態で保存する保存ステップと、
を備えることを特徴とするバッチプロセス管理方法。
【発明の詳細な説明】
【技術分野】
【０００１】
本発明は、バッチプロセスに関するデータを、前記バッチプロセスごとのデータとして管理するバッチプロセス管理装置等に関する。
【背景技術】
【０００２】
食品、飲料製造プラント、あるいは化学製造プラントなどでは、操作手順や製造手順を切り替えたバッチプロセスをオペレーションすることにより、多品種変量の製品に対応した生産を行っている。バッチプラントではプロセス内の物理的な主要装置である蒸留塔や反応釜などは、ユニットという単位で制御、管理されているが、このバッチプラントを操業運転するシステムとしてバッチプラント制御システムがある。バッチプラント制御システムは、エンジニアリング装置および操作監視装置を備える。
【０００３】
バッチプラント制御システムでは、プロセス管理コンフィギュレーションファイルを用いてバッチプロセスの開始、終了やそのステータスを管理する。プロセス管理コンフィギュレーションファイルは、バッチプラント制御システムに関するシステム定数情報や画面表示のコンフィギュレーションを定義したものである。プロセス管理コンフィギュレーションファイルは、エンジニアリング装置で定義され、操作監視装置に転送される。操作監視装置に転送されたプロセス管理コンフィギュレーションファイルは、操作監視装置においてバッチプロセスのオペレーション時に利用される。
【先行技術文献】
【特許文献】
【０００４】
【特許文献１】特開２００３−５８２４７号公報
【特許文献２】特開２００７−２５７５６３号公報
【発明の概要】
【発明が解決しようとする課題】
【０００５】
バッチプロセスは、処方の登録や変更、運転方式や製法の改良など、変動要素の多いことが特徴であるため、例えば、運転効率のよいバッチプロセスを再現し、あるいは、それを比較対象として参照することを可能とすることが要望されている。しかし従来のバッチプラント制御システムでは、バッチプロセスを識別するコードとしてバッチＩＤを使用するとともに、バッチ単位のその他の情報として、処方名、ステータス、実行開始予定時刻、実行終了予定時刻などを使用するのみである。このため、実行管理しているバッチプロセスの数が増えると、これらの情報から運転効率のよいバッチプロセスや高品位のバッチプロセスを識別することは困難となる。また、ユーザにとっての重要度をバッチプロセスに紐付け、あるいは、運転効率の良いバッチプロセスをグルーピングすることなどもできない。このように、バッチプロセスの情報を有効に利用できないという問題がある。
【０００６】
本発明の目的は、バッチプロセスの情報を有効に利用可能なバッチプロセス管理装置およびバッチプロセス管理方法を提供することにある。
【課題を解決するための手段】
【０００７】
本発明のバッチプロセス管理装置は、バッチプロセスに関するデータを、前記バッチプロセスごとのデータとして管理するバッチプロセス管理装置において、前記バッチプロセスごとのデータにフラグ情報を対応付けるための入力操作を受け付ける入力受付手段と、前記入力受付手段を介してバッチプロセスに対応付けられた前記フラグ情報と、当該バッチプロセスの前記データとを、互いに対応付けた形態で保存する保存手段と、を備えることを特徴とする。
このバッチプロセス管理装置によれば、バッチプロセスに対応付けられたフラグ情報と、当該バッチプロセスのデータとを、互いに対応付けた形態で保存するので、バッチプロセスの情報を有効に利用できる。
【０００８】
前記データは前記バッチプロセスの内容に関してもよい。
【０００９】
前記保存手段により保存された前記フラグ情報と、当該バッチプロセスの前記データとを、互いに対応付けた形態で表示する表示手段と、前記表示手段により表示された前記バッチプロセスを表示画面上で選択する操作を受け付ける選択受付手段と、前記選択受付手段を介して選択された前記バッチプロセスの前記データを用いた処理を実行する実行手段と、を備えてもよい。
【００１０】
前記実行手段は、前記選択受付手段を介して選択された前記バッチプロセスの前記データを用いて、当該バッチプロセスを実行してもよい。
【００１１】
前記フラグ情報は、前記表示手段によりフラグの表示色として表示されてもよい。
【００１２】
前記フラグ情報は、前記表示手段によりコメントとして表示されてもよい。
【００１３】
本発明のバッチプロセス管理方法は、バッチプロセスに関するデータを、前記バッチプロセスごとのデータとして管理するバッチプロセス管理方法において、前記バッチプロセスごとのデータにフラグ情報を対応付けるための入力操作を受け付ける入力受付ステップと、前記入力受付ステップを介してバッチプロセスに対応付けられた前記フラグ情報と、当該バッチプロセスの前記データとを、互いに対応付けた形態で保存する保存ステップと、を備えることを特徴とする。
このバッチプロセス管理方法によれば、バッチプロセスに対応付けられたフラグ情報と、当該バッチプロセスのデータとを、互いに対応付けた形態で保存するので、バッチプロセスの情報を有効に利用できる。
【発明の効果】
【００１４】
本発明のバッチプロセス管理装置によれば、バッチプロセスに対応付けられたフラグ情報と、当該バッチプロセスのデータとを、互いに対応付けた形態で保存するので、バッチプロセスの情報を有効に利用できる。
【００１５】
本発明のバッチプロセス管理方法によれば、バッチプロセスに対応付けられたフラグ情報と、当該バッチプロセスのデータとを、互いに対応付けた形態で保存するので、バッチプロセスの情報を有効に利用できる。
【図面の簡単な説明】
【００１６】
【図１】一実施形態のバッチプロセス管理装置としてのバッチプロセス制御システムの構成を示すブロック図。
【図２】一実施形態のバッチプロセス管理装置の動作を示すフローチャート。
【図３】一実施形態のバッチプロセス管理装置の動作を示す図であり、（ａ）はアイコン定義ファイルの内容を例示する図、（ｂ）はフラグ定義設定画面を示す図。
【図４】操作監視装置における表示画面例を示す図。
【図５】ユーザにより作成されるアイコンを使用可能とした例を示す図。
【発明を実施するための形態】
【００１７】
以下、本発明によるバッチプロセス管理装置の一実施形態について説明する。
【００１８】
図１は、本実施形態のバッチプロセス管理装置としてのバッチプロセス制御システムの構成を示すブロック図である。
【００１９】
図１に示すように、バッチプロセス制御システムは、バッチプラント１０を制御するフィールドコントローラ１，１，・・・と、フィールドコントローラ１，１，・・・を介してバッチプラント１０に対する監視操作を行うための監視操作装置２と、バッチプロセスの制御に関する種々のエンジニアリングを行うためのエンジニアリング装置３と、を備える。フィールドコントローラ１，１，・・・、監視操作装置２、およびエンジニアリング装置３は、互いに通信バス５により接続される。
【００２０】
図１に示すように、操作監視装置２は、バッチプロセスごとのデータにフラグ情報を対応付けるための入力操作を受け付ける入力受付手段２１と、入力受付手段２１を介してバッチプロセスに対応付けられた上記フラグ情報と、当該バッチプロセスの上記データとを、互いに対応付けた形態で保存する保存手段２２と、保存手段２２により保存された上記フラグ情報と、当該バッチプロセスの上記データとを、互いに対応付けた形態で表示する表示手段２３と、表示手段２３により表示された上記バッチプロセスを表示画面上で選択する操作を受け付ける選択受付手段２４と、選択受付手段２４を介して選択された上記バッチプロセスの上記データを用いた処理を実行する実行手段２５と、を構成する。
【００２１】
また、エンジニアリング装置３は、フラグ情報定義を受け付ける入力受付手段３１と、入力受付手段３１を介して受け付けたフラグ情報定義を保存する保存手段３２と、を構成する。
【００２２】
エンジニアリング装置３の保存手段３２には、エンジニアリング装置３で作成されたプロセス管理コンフィギュレーションファイルが格納される。また、保存手段３２に格納されたプロセス管理コンフィギュレーションファイルの内容は、操作監視装置２の保存手段２２に適宜反映される。上記フラグ情報は、プロセス管理コンフィギュレーションファイルの情報の一部として取り扱われる。
【００２３】
図２は、本実施形態のバッチプロセス管理装置の動作を示すフローチャートである。
【００２４】
図２のステップＳ１〜ステップＳ６は、エンジニアリング装置３におけるフラグ情報設定の処理を示している。
【００２５】
図２のステップＳ１では、入力受付手段３１は保存手段３２からプロセス管理コンフィギュレーションファイルを読み込む。
【００２６】
次に、ステップＳ２では、入力受付手段３１はアイコン定義ファイル４１（図１）を読み込む。
【００２７】
図３（ａ）はアイコン定義ファイルの内容を例示する図である。図３（ａ）に示すように、アイコン定義ファイル４１は、後述するフラグ定義設定画面に表示されるフラグ色の文字列、それに対応したプロセス管理コンフィギュレーションファイルに書き込まれる文字列、およびフラグ定義設定画面に表示されるアイコンファイル４２（図１）を対応付けるファイルである。例えば、アイコンファイル「RED.ico」で定義されるアイコンについて、フラグ定義設定画面に表示されるフラグ色を示す文字列が「赤」であり、プロセス管理コンフィギュレーションファイルに書き込まれる文字列が「ＲＥＤ」であることが定義される。他のアイコンについても、同様に表示色が定義される。
【００２８】
次に、ステップＳ３では、入力受付手段３１はアイコンファイル４２（図１）を読み込む。
【００２９】
次に、ステップＳ４では、入力受付手段３１はフラグ情報定義を受け付ける。
【００３０】
図３（ｂ）はエンジニアリング装置３に表示されるフラグ定義設定画面を示している。フラグ定義設定画面には、読み込まれたアイコン定義ファイル４１に従って、互いに対応付けられたフラグＩＤを表示する領域５１、アイコンが表示される領域５２、フラグ色を示す文字列の領域５３が設けられ、個々のフラグについてこれらの表示要素が並んで表示される。なお、領域５２に表示されるアイコンは、対応するアイコンファイルにより定義されたアイコンである。
【００３１】
ユーザは、フラグ定義設定画面を見ながら、アイコンおよびフラグ色を当該画面に対する操作を介して入力することができる。フラグ定義設定画面の領域５２に表示されるアイコンの色（フラグ色）と、領域５３のフラグ色を示す文字列とは互いに対応しているため、ユーザは色を視覚的に確認しながら入力操作を行うことができる。
【００３２】
また、図３（ｂ）に示すように、フラグ定義設定画面には、各フラグについてのフラグコメントを入力するための領域５４が設けられ、フラグ色に対応した意味をユーザが指定することができる。例えば、バッチプロセスの品質や運転効率など、ユーザにとって有用な情報を付加することができる。
【００３３】
次に、ステップＳ５では、入力受付手段３１はフラグ定義設定画面を介して設定されたフラグ情報の定義内容をアイコン定義ファイル４１に反映させるとともに、プロセス管理コンフィギュレーションファイルの一部として保存手段３２に格納する。
【００３４】
次に、ステップＳ６では、保存手段３２に格納されたプロセス管理コンフィギュレーションファイルを操作監視装置２に向けて転送し、処理を終了する。転送されたプロセス管理コンフィギュレーションファイルは保存手段２２に格納され、操作監視装置２において利用可能とされる。
【００３５】
図２のステップＳ１１〜ステップＳ１３は、操作監視装置２におけるフラグ情報対応付けの処理を示している。
【００３６】
図２のステップＳ１１では、入力受付手段２１は保存手段２２からプロセス管理コンフィギュレーションファイルを読み込み、所定のバッチプロセス群を示す表示を操作監視装置２の画面上に表示する。
【００３７】
図４は操作監視装置２における表示画面例を示す図である。表示画面は表示手段２３により表示される。
【００３８】
図４の例では、表示画面には、バッチプロセスに対応付けられたアイコン（フラグ）を表示する領域６１Ａ、当該バッチプロセスの処方を表示する領域６１Ｂ、当該バッチプロセスのステータス（予約済み、実行中、完了済みのいずれか）を表示する領域６１Ｃ、当該バッチプロセスを識別するコードとしてのバッチＩＤを表示する領域６１Ｄ、当該バッチプロセスの実行開始予定時刻を表示する領域６１Ｅ、および当該バッチプロセスの実行終了予定時刻を表示する領域６１Ｆとが設けられている。このように、表示画面には、バッチプロセスに対応付けられたアイコンが表示される。
【００３９】
また、マウスカーソル６１を領域６１Ａに移動させると、対応するアイコンに付されたフラグコメントがツールチップ６２として表示される。このフラグコメントはフラグ定義設定画面（図３（ｂ））により入力されたものである。このように、フラグコメントの表示により、ユーザはフラグの表示色がもつ意味を容易に特定することができる。
【００４０】
なお、領域６１Ｂに示す処方は、バッチプロセスにより製造される商品を特定するという意味での処方であり、領域６１Ｂの表示が同一でも個々のバッチプロセスにおける処方は厳密には異なる。例えば、制御条件、制御目標値等の微妙な相違が存在する。
【００４１】
次に、ステップＳ１２では入力受付手段２１は表示画面に対する入力操作を受け付ける。ここでは、ユーザが領域６１Ａに対して所定のフラグを割り付ける操作を行うことにより、対応するバッチプロセスにアイコン（任意の色のフラグ）を対応付けることができる。また、バッチプロセスにすでにアイコンが対応付けられている場合には、同様の操作によりアイコンを変更することができる。このように、バッチプロセスに対し任意のアイコンを動的に対応付け、あるいは変更することができ、バッチプロセスに任意の色のフラグをマーキングし、あるいは、バッチプロセスをフラグの色によってグループ分けすることができる。これにより、例えば、バッチプロセスを運転効率や品質が均一なグループごとに区分し、バッチプロセスのスケジューリングに利用することができる。
【００４２】
次に、ステップＳ１３では、ステップＳ１２で受け付けたフラグとバッチプロセスの対応付けをプロセス管理コンフィギュレーションファイルに反映させ、プロセス管理コンフィギュレーションファイルを保存手段２２に格納して処理を終了する。
【００４３】
図２のステップＳ２１〜ステップＳ２２は、プロセス実行時の処理を示している。
【００４４】
図２のステップＳ２１では、表示手段２３は保存手段２２からプロセス管理コンフィギュレーションファイルを読み込み、所定のバッチプロセス群を示す表示（図４）を操作監視装置２の画面上に表示する。
【００４５】
次に、ステップＳ２２では、選択受付手段２４は表示画面に対する操作を受け付け、処理を終了する。ステップＳ２２では、ユーザは画面表示されているバッチプロセスの中から、実行すべきバッチプロセスを選択し、そのバッチプロセスと同一の処方に従った新たなバッチプロセスを予約することができる。予約されたバッチプロセスは、実行手段２５により実行される。
【００４６】
この場合にも、図４に示すように、画面表示上でバッチプロセスにフラグが付されているため、ユーザは、例えば運転効率や品質が良好な過去のバッチプロセスを容易に特定することができ、そのバッチプロセスを選択して同一の新たなバッチプロセスの実行を予約できる。また、画面上でフラグの色を指定することにより、複数のバッチプロセスをまとめて指定することもできる、このため、フラグでグルーピングされた複数のバッチプロセスの実行を、まとめて予約することもできる。
【００４７】
このように、本実施形態のバッチプロセス管理装置によれば、ユーザがエンジニアリング装置により定義したフラグやコメントなどのフラグ情報をバッチプロセスに対応付け、それを利用することができる。このため、バッチプロセスの実行時などに、品質や運転効率などのユーザにとって有用な情報をアイコンやコメントなどにより確認しながら、効率よくオペレーションすることができる。また、バッチプロセスをアイコンによってグルーピングすることで、運転効率や品質の良好なバッチプロセス群をまとめて実行させることも可能となる。
【００４８】
また、例えば、食品や飲料製造プラントでは、季節、水温、原材料の相違などに応じて、微妙に処方を変化させることで製品の品質を一定に確保している場合がある。このような場合には、微妙に異なる多数の処方を用意し、その中から常時最適な処方を選択する必要がある。このような場合にも、本実施形態のバッチプロセス管理装置によれば、フラグやコメントを利用することで、処方の異なる多数のバッチプロセスの中からどのバッチプロセスを選択すべきかを、容易に判断することが可能となる。例えば、フラグの各色を季節、水温、原材料などに応じた最適な処方のバッチプロセスにそれぞれ割り付けることで、フラグの色に基づいて最適なバッチプロセスを容易に選択できる。
【００４９】
図５は、システムで用意されたアイコンに加えて、ユーザにより作成されるアイコンを使用可能とした例を示す図である。
【００５０】
図５の例では、バッチプロセス制御システムに最初から用意されたアイコン定義ファイル４１およびアイコンファイル４２に加えて、ユーザにより作成されたアイコン定義ファイル４１Ａおよびアイコンファイル４２Ａを使用することができる。図５の例では、システムで用意されたアイコン定義ファイル４１およびアイコンファイル４２がシステム用フォルダ４０に、ユーザにより作成されたアイコン定義ファイル４１Ａおよびアイコンファイル４２Ａが特注用フォルダ４０Ａに、それぞれ格納される。
【００５１】
アイコン定義ファイル４１Ａおよびアイコンファイル４２Ａが使用され、バッチプロセスに対応付けられた場合には、その対応付けはシステムで用意されたアイコンと同様、操作監視装置２でも利用できる。また、システムで用意されたアイコンをユーザにより作成されたアイコンに置換することもできる。ユーザにより作成されたアイコンによりフラグの表示色を追加し、あるいは、別形状のアイコンを使用することも可能となる。
【００５２】
以上説明したように、本発明のバッチプロセス管理装置によれば、バッチプロセスに対応付けられたフラグ情報と、当該バッチプロセスのデータとを、互いに対応付けた形態で保存するので、バッチプロセスの情報を有効に利用できる。
【００５３】
本発明の適用範囲は上記実施形態に限定されることはない。本発明は、バッチプロセスに関するデータを、前記バッチプロセスごとのデータとして管理するバッチプロセス管理装置およびバッチプロセス管理方法に対し、広く適用することができる。
【符号の説明】
【００５４】
２１    入力受付手段
２２    保存手段
２３    表示手段
２４    選択受付手段
２５    実行手段
３１    入力受付手段
３２    保存手段
【図１】
2011243128.tif 000003
【図２】
2011243128.tif 000004
【図５】
2011243128.tif 000005
【図３】
2011243128.tif 000006
【図４】
2011243128.tif 000007